(57)【特許請求の範囲】
【請求項１】
上面カバーとベースカバーとの間に、励磁コイル、磁石、振動板等の要素部品を収納し、前記励磁コイルの端末をベースカバーのリードフレームに結線し、外部基板との接続を図るための外部接続端子としての一対のコイルバネはその端末の一端を前記ベースカバーのコイルバネ収納部に下面側から挿入して、励磁コイルの端末が結線されているリードフレームに半田等の固着手段で接続し、前記コイルバネの端末の他の一端はベースカバーの下面から突出するバネ性を有するコイル状の電極端子を備えた電磁型発音体において、
前記ベースカバーに設けたコイルバネ収納部は、前記コイルバネの端末を固着する前記リードフレームと前記ベースカバーに形成された貫通穴からなり、かつ基板接触側のエッジ部がＲ形状又は面取り形状に形成され、前記コイルバネは前記外部基板に接触していないときには前記ベースカバーの下面から突出しており、前記外部基板に接触時には前記コイルバネ収納部内にすべて収納されていることを特徴とする電磁型発音体。
【請求項２】
上面カバーとベースカバーとの間に、励磁コイル、磁石、振動板等の要素部品を収納し、前記励磁コイルの端末をベースカバーのリードフレームに結線し、外部基板との接続を図るための外部接続端子としての一対のコイルバネはその端末の一端を前記ベースカバーのコイルバネ収納部に下面側から挿入して、励磁コイルの端末が結線されているリードフレームに半田等の固着手段で接続し、前記コイルバネの端末の他の一端はベースカバーの下面から突出するバネ性を有するコイル状の電極端子を備えた角形状の電磁型発音体において、
前記一対のコイルバネは角形状の電磁型発音体の１辺に沿って配置されていると共に、前記ベースカバーに設けたコイルバネ収納部は、前記コイルバネの端末を固着する前記リードフレームと前記ベースカバーに形成された貫通穴からなり、かつ基板接触側のエッジ部がＲ形状又は面取り形状に形成され、前記コイルバネは前記外部基板に接触していないときには前記ベースカバーの下面から突出しており、前記外部基板に接触時には前記コイルバネ収納部内にすべて収納されていることを特徴とする電磁型発音体。
【発明の詳細な説明】
【０００１】
【発明の属する技術分野】
本発明は、電磁石で振動板を振動させることにより発音する電磁発音体に係わり、特に、プリント基板等に実装する際に小型、薄型で作業性良く取り付けられる電極端子構造を具備した電磁型発音体に関する。
【０００２】
【従来の技術】
近年の小型電子部品の表面実装化に伴い、小型ブザーである電磁発音体をプリント基板に直接実装する表面実装型が主流になり、携帯電話やポケットベルなどページャーの呼び出しに多く使用されている。
【０００３】
従来の電磁発音体として、本出願人が先に出願した特願平１０−１２９６８３号（出願日、平成１０年４月２４日）「電磁型発音体」にその技術が開示されている。図４及び図５に基づきその概要を説明する。
【０００４】
図４（ａ）は、電磁型発音体の裏面側の平面図、図４（ｂ）は、図４（ａ）の側面図である。図４において、１０は電磁型発音体である。電磁型発音体１０は、上面カバー１とベースカバー２とで形成されるケース本体内には図示しない励磁コイル、磁石、振動板等の発音部材と、ベースカバー２から外部に延びる電極バネ端子であるコイルバネ６とで構成される。
【０００５】
図５（ａ）は、コイルバネをベースカバーに半田付けした状態、図５（ｂ）は、図５（ａ）を基板に接触させた状態の部分断面図である。図５において、ベースカバー２には、一対のリードフレーム７がインサートモールドされている。また、ベースカバー２に形成されたコイルバネ収納孔２ａにコイルバネ６がベースカバー２の下面側から矢印Ａ方向に収納され、且つ、コイルバネ端末接続部６ａがリードフレーム７に半田８で半田付けされた状態で電極端子部６ｃがベースカバー２の下面から突出している。また、前記コイルバネ収納孔２ａの基板９との接触するエッジ部２ｂは鋭角を形成されている。
【０００６】
【発明が解決しようとする課題】
しかしながら、前述した電磁型発音体には次のような問題点がある。即ち、電磁型発音体を組み込む工程中に、コイルバネがコイルバネ収納部のエッジ部に接触し、コイルバネに負荷が掛かり、コイルバネの変形、断線が発生する。
【０００７】
また、コイルバネを基板と接触させる際に、基板と電磁型発音体との間にコイルバネが挟まったり、導通が取れなくなったり、音漏れを発生する可能性があった。
【０００８】
本発明は上記した従来の課題に鑑みなされたものであり、その目的は、コイルバネへの負荷を減らし、バネの変形を防止することができる電磁型発音体を提供するものである。
【０００９】
【課題を解決するための手段】
上記目的を達成するために、本発明の電磁型発音体は、上面カバーとベースカバーとの間に、励磁コイル、磁石、振動板等の要素部品を収納し、前記励磁コイルの端末をベースカバーのリードフレームに結線し、外部基板との接続を図るための外部接続端子としての一対のコイルバネはその端末の一端を前記ベースカバーのコイルバネ収納部に下面側から挿入して、励磁コイルの端末が結線されているリードフレームに半田等の固着手段で接続し、前記コイルバネの端末の他の一端はベースカバーの下面から突出するバネ性を有するコイル状の電極端子を備えた電磁型発音体において、前記ベースカバーに設けたコイルバネ収納部は、前記コイルバネの端末を固着する前記リードフレームと前記ベースカバーに形成された貫通穴からなり、かつ基板接触側のエッジ部がＲ形状又は面取り形状に形成され、前記コイルバネは前記外部基板に接触していないときには前記ベースカバーの下面から突出しており、前記外部基板に接触時には前記コイルバネ収納部内にすべて収納されていることを特徴とするものである。
【００１０】
また、本発明の電磁型発音体は、上面カバーとベースカバーとの間に、励磁コイル、磁石、振動板等の要素部品を収納し、前記励磁コイルの端末をベースカバーのリードフレームに結線し、外部基板との接続を図るための外部接続端子としての一対のコイルバネはその端末の一端を前記ベースカバーのコイルバネ収納部に下面側から挿入して、励磁コイルの端末が結線されているリードフレームに半田等の固着手段で接続し、前記コイルバネの端末の他の一端はベースカバーの下面から突出するバネ性を有するコイル状の電極端子を備えた角形状の電磁型発音体において、前記一対のコイルバネは角形状の電磁型発音体の１辺に沿って配置されていると共に、前記ベースカバーに設けたコイルバネ収納部は、前記コイルバネの端末を固着する前記リードフレームと前記ベースカバーに形成された貫通穴からなり、かつ基板接触側のエッジ部がＲ形状又は面取り形状に形成され、前記コイルバネは前記外部基板に接触していないときには前記ベースカバーの下面から突出しており、前記外部基板に接触時には前記コイルバネ収納部内にすべて収納されていることを特徴とするものである。
【００１２】
【発明の実施の形態】
以下図面に基づいて本発明における電磁発音体について説明する。図１は、本発明の第１の実施の形態である電磁型発音体に係わり、図１（ａ）は、ケース本体に電磁型発音体の要素部品を組み込む状態を示す展開図、図１（ｂ）は、図１（ａ）のＢ部を拡大したコイルバネをリードフレームに半田付けした状態を示す正面図である。図において従来技術と同一部材は同一符号を示す。
【００１３】
図１において、１０は電磁型発音体である。電磁型発音体１０は、従来技術で説明したと同様に、上面カバー１とベースカバー２とで形成されるケース本体内に励磁コイル３、磁石４、振動板５等の発音部材と、ベースカバー２から外部に突出するコイルバネ６とで構成される。
【００１４】
図１（ｂ）に示すように、従来技術で説明したと同様に、ベースカバー２に形成されたコイルバネ収納孔２ａにコイルバネ６がベースカバー２の下面側から矢印Ａ方向に収納され、且つ、コイルバネ端末接続部６ａがリードフレーム７に半田８で半田付けされた状態で電極端子部６ｃがベースカバー２の下面から突出している。本発明の特徴として、前記コイルバネ収納孔２ａの基板９との接触するエッジ部２ｂにはＲ形状２ｃが形成されて開口部を広くしている。
【００１５】
上記構成により、コイルバネ６はベースカバー２のコイルバネ収納部２ａに容易に入り、Ｒ形状２ｃによりコイルバネ６への負荷を軽減することができる。また、基板へ接触してコイルバネ収納時にコイルバネは基板と電磁型発音体との間に挟まることがない。
【００１６】
図２及び図３は本発明の第２及び第３の実施の形態に係わるコイルバネをリードフレームに半田付けした状態を示すそれぞれ正面図である。
【００１７】
図２は、前記ベースカバー２のコイルバネ収納部２ａの下面側が広く開口する様にテーパー形状２ｄが形成されている。
【００１８】
また、図３は、前記ベースカバー２のコイルバネ収納部２ａの基板１１との接触するエッジ部２ｂには面取り形状２ｅが形成されて開口部を広くしている。
【００１９】
上記した構成により前述した第１の実施の形態と同様な作用・効果がある。
【００２０】
【発明の効果】
以上説明したことから明らかのように、本発明によれば、電磁型発音体を構成するベースカバーに形成したコイルバネ収納部の基板と接触するエッジ部の形状をＲ形状、面取り形状又は収納部をテーパー形状にして開口部を広くすることにより、コイルバネがスムーズにコイルバネ収納部に入り、工程中にコイルバネが収納部のエッジ部に接触してもコイルバネへの負荷が軽減し、変形や断線が発生しない。また、基板と接触させたコイルバネ収納時に、基板と電磁型発音体との間にコイルバネが挟まることのない電磁型発音体を提供することができる。
【図面の簡単な説明】
【図１】本発明の第１の実施の形態に係わり、図１（ａ）は電磁型発音体の要素部品を組み立てる状態を示す展開図、図１（ｂ）は図１（ａ）のＢ部を拡大したコイルバネをリードフレームに半田付けする状態を示す正面図である。
【図２】本発明の第２の実施の形態に係わるコイルバネをリードフレームに半田付けする状態を示す正面図である。
【図３】本発明の第３の実施の形態に係わるコイルバネをリードフレームに半田付けする状態を示す正面図である。
【図４】図４（ａ）は従来の電磁型発音体の裏面側の平面図、図４（ｂ）は図４（ａ）の側面図である。
【図５】図５（ａ）は従来の電磁型発音体でコイルバネをリードフレームに半田付けする状態を示す正面図、図５（ｂ）は基板に接触させた状態の正面図である。
【符号の説明】
１  上面カバー
２  ベースカバー
２ａ  コイルバネ収納部
２ｂ  エッジ部
２ｃ  Ｒ形状
２ｄ  テーパー形状
２ｅ  面取り形状
３  励磁コイル
４  磁石
５  振動板
６  コイルバネ
６ａ  コイルバネ端末接続部
６ｃ  電極端子部
７  リードフレーム
８  半田
９  基板
１０  電磁型発音体
【図１】
0004201298.tif 000002
【図２】
0004201298.tif 000003
【図３】
0004201298.tif 000004
【図４】
0004201298.tif 000005
【図５】
0004201298.tif 000006